(57)【要約】【課題】簡単な構成で、扉を開けたときに確実に払出し通路を遮蔽する。【解決手段】シャッタ５１と、連動レバー５４とを備えたシャッタ機構４５をパチンコ機に組み込む。シャッタ５１に設けられる遮断片７７が、払出し通路の一部を構成する通路６５の内部に突出するようにシャッタ５１をバネ付勢させる。下部扉５を開けると、下部扉５に設けられた筒部２０による連動レバー５４の押圧が解除され。バネ付勢されるシャッタ５１が回動する。これによって、遮断片７７が通路６５の下流側の端部を遮断するように突出し、通路６５にある遊技球９５が通路６５の内部に貯留される。下部扉５を閉めると、連動レバー５４によってシャッタ５１が回動して、遮断片７７が通路６５から退避するので、遊技球９５が中継通路２１を介して払い出される。【選択図】        図１５
2005040305.tif 000002
【特許請求の範囲】
【請求項１】
遊技に用いられる遊技媒体を受容する受け部と、遊技媒体を前記受け部に払い出す払出し口とを有する扉と、
遊技媒体を前記受け部へと払い出す払出し装置と、前記払出し装置からの遊技媒体を前記払出し口へ誘導する第１経路とを有する本体基部と、
を備え、
前記本体基部に、前記第１経路を遮断するシャッタ機構を設け、
前記扉に、前記シャッタ機構を作動させる突部とを設け、
前記シャッタ機構は、
前記第１経路内に突出し、前記第１経路内を移動する遊技媒体を貯留する第１位置と、前記第１経路内から退避し、前記第１経路内を移動する遊技媒体を前記払出し口に導く第２位置と、の間で移動可能な遮断部材と、
前記扉の閉じ動作時に前記突部によって押圧され、前記第１位置にある遮断部材を前記第２位置へと移動させる連動部材とを備えていることを特徴とする遊技機。
【請求項２】
前記本体基部は、遊技領域に到達しない遊技媒体を前記払い出し口を介して前記受け部に払い出す第２経路を備えており、前記第１位置にある遮断部材は、前記第１経路と第２経路とを同時に遮断することを特徴とする請求項１記載の遊技機。
【請求項３】
前記突部は、前記払出し口に連なって設けられ、前記払出し口と、少なくとも前記第１経路とを連通させる中継通路を備えていることを特徴とする請求項１又は２記載の遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
遊技場に設置される遊技機の一つとしてパチンコ機が挙げられる。このパチンコ機には、遊技媒体となる遊技球を受容する供給皿が設けられている。この供給皿には、パチンコ機内部に組み込まれた発射装置へとパチンコ球を導く通路が設けられており、供給皿に受容された遊技球は、この通路を介して自動的に発射装置へと誘導される。なお、発射装置へと誘導された遊技球は、操作ハンドルの操作により作動する発射装置によって遊技領域の上方へと打ち出された後に、遊技領域に設けられた障害釘によって弾かれながら遊技領域内を流下していく。そして、遊技領域に設けられた通常入賞口や、始動入賞口の入賞口等に入賞した場合に、賞球となる遊技球の払い出しが行われる。
【０００３】
この賞球となる遊技球の払い出しは、パチンコ機の内部に設けられた払出し装置によって行われ、払出し装置によって払い出された遊技球は、払出し装置に連なって設けられた払出し通路内を転動した後に、払出し口を介して供給皿に払い出される。この供給皿は下部の扉に設けられており、下部の扉を開けると、遊技球を遊技領域に打ち出すための発射装置や上記払出し通路が露呈され、作業者による発射装置や払出し通路のメンテナンスを行うことが可能となる。上記払出し口と、払出し通路の下流とには、それぞれシャッタ機構が設けられている。このシャッタ機構は、扉が開けられることに連動して払出し口と払出し通路の下流側をそれぞれ遮蔽し、遊技球が払出し口や払出し通路からこぼれ落ちないようにしている。そして、扉が閉じられると払出し口と払出し通路を開口し、賞球となる遊技球の払い出しを行えるようになっている。
【０００４】
【発明が解決しようとする課題】
上記シャッタ機構は、上記扉の開き動作を可能にするロック機構の解除動作に連動する機構を有しているので、上記払出し口やシャッタ機構をロック機構の近傍に配置することが一般的である。しかしながら、シャッタ機構を上記ロック機構に連動させる場合、機構自体が複雑なものになりやすく、組み付け時の作業性が悪いという問題がある。また、このような構成とする場合、経年変化等によってロック機構に連動する機構が作動しないことがあり、例えばロック機構を解除して扉を開けた場合に、シャッタ機構によって払出口が遮蔽されずに、払出し通路内にある遊技球を遊技場等の床に零してしまうという問題もある。
【０００５】
本発明は、簡単な構成で、扉を開けたときに確実に払出し通路を遮蔽するシャッタ機構を備えた遊技機を提供することを目的とする。
【０００６】
【課題を解決するための手段】
上記目的を達成するために、本発明の遊技機は、遊技に用いられる遊技媒体を受容する受け部と、遊技媒体を前記受け部に払い出す払出し口とを有する扉と、遊技媒体を前記受け部へと払い出す払出し装置と、前記払出し装置からの遊技媒体を前記払出し口へ誘導する第１経路とを有する本体基部と、を備え、前記本体基部に、前記第１経路を遮断するシャッタ機構を設け、前記扉に、前記シャッタ機構を作動させる突部とを設け、前記シャッタ機構は、前記第１経路内に突出し、前記第１経路内を移動する遊技媒体を貯留する第１位置と、前記第１経路内から退避し、前記第１経路内を移動する遊技媒体を前記払出し口に導く第２位置と、の間で移動可能な遮断部材と、前記扉の閉じ動作時に前記突部によって押圧され、前記第１位置にある遮断部材を前記第２位置へと移動させる連動部材とを備えているものである。なお、遊技媒体とは、例えば遊技球等が挙げられる。また、受け部とは、例えば遊技球が供給される供給皿等が挙げられる。
【０００７】
また、前記本体基部は、遊技領域に到達しない遊技媒体を前記払い出し口を介して前記受け部に払い出す第２経路を備えており、前記第１位置にある遮断部材は、前記第１経路と第２経路とを同時に遮断することが好ましい。また、前記突部は、前記払出し口に連なって設けられ、前記払出し口と、少なくとも前記第１経路とを連通させる中継通路を備えていることが好ましい。
【０００８】
【発明の実施の形態】
図１及び図２に示すように、パチンコ機２は、上部扉４及び下部扉５からなる２枚の前面扉６が、パチンコ機２の基体となる本体基部７に対して回動自在となるように、図示しないヒンジ部を介して組み付けられる。上部扉４の中央には開口４ａが設けられており、この開口４ａは上部扉４の裏側に取り付けられるガラス板８により遮蔽されている。なお、上部扉４は閉じている状態では、遊技の際に遊技領域２２を流下する遊技球９５（図１３参照）や、遊技領域２２に設けられた構造物は、上記開口４ａを遮蔽するガラス板８を介して視認される。一方、上部扉４が開いている状態では後述する遊技領域２２が露呈され、例えば遊技領域２２に設けられる障害釘の調整や、球詰まりの際のメンテナンス等が行われる。なお、符号１０は、本体基部７を遊技場等の所定位置に固定するための固定枠である。
【０００９】
下部扉５には、遊技媒体である遊技球９５を供給する供給皿（受け部）１５、発射装置１６における遊技球９５の打ち出し、及びその打ち出し強さを調節する操作ハンドル１７が設けられている。供給皿１５には、遊技を開始する際に遊技球９５が供給される他に、遊技領域２２を流下する遊技球９５が上記入賞口のいずれかに入賞したことを受けて払い出される賞球としての遊技球９５が受容される。なお、遊技球９５は、払出し口１８を介して払い出される。下部扉５の供給皿１５が設けられる反対側となる後面には、払出し口１８に連なるように断面が略枠形状の筒部（突部）２０が設けられている。なお、この内部が、後述する払出し通路４１、払戻し通路４２（図３参照）と払出し口１８とを繋ぐ中継通路２１となる。なお、中継通路２１で払出し通路４１と払戻し通路とが合流することになる。
【００１０】
遊技領域２２は、図示しない障害釘、風車及び通過ゲート等が設けられる他に、始動入賞口２５、通常入賞口２６、アタッカ２７等の入賞口が設けられた遊技盤２８の盤面の、上記入賞口や、障害釘の外周をガイドレール２９等によって区画された領域からなる。この遊技領域２２の略中央にはセンター役物３０が設けられ、そのほぼ中央には図柄表示装置３１が、その表示部を視認できるように設けられる。ガイドレール２９によって区画される遊技領域２２の外側には、発射装置１６によって発射された遊技球９５を遊技領域２２に向けて案内する案内通路３２が設けられている。発射装置１６にて打ち出された遊技球９５は、案内通路３２によって遊技領域２２の上方に案内された後に遊技領域２２を流下する。そして、上記障害釘や風車等により弾かれながら流下し、上記入賞口のいずれかへと入賞するか、入賞せずにアウト口３３へと導かれる。なお、上記入賞口や、障害釘等については公知であるので説明は省略する。
【００１１】
図３に示すように、案内通路３２の下方には、案内通路３２から遊技領域２２に到達せずに案内通路３２の内を落下する、所謂ファール球となる遊技球９５を回収する回収口３５が設けられている。なお、この回収口３５によって回収された遊技球９５は、払戻し通路（第２経路）４２、中継通路２１を転動し、払出し口１８から供給皿１５に払い戻される。
【００１２】
遊技領域２２を備えた遊技盤２８が組み付けられた本体基部７の後面側には、遊技球９５が上記入賞口に入賞した際に、賞球としての遊技球９５を払い出す払出し装置４０が設けられている。この払出し装置４０によって払い出される遊技球９５は、払出し装置４０に連なって設けられた払出し通路（第１経路）４１、中継通路２１を転動した後に、払出し口１８を介して供給皿１５に払い出される。なお、この払出し通路４１及び払戻し通路４２の下流側には、シャッタ機構４５が設けられる。
【００１３】
図４又は図５に示すように、シャッタ機構４５は、上記払出し通路４１の一部となる通路６５及び払戻し通路４２の一部となる通路６６を遮断して通路６５，６６内にある遊技球９５を貯留する第１状態と、払出し通路４１及び払出し通路４２を開口して、遊技球９５を払出し口１８から供給皿１５に払い出す第２状態との間で作動する。なお、図６に示すように、このシャッタ機構４５は、基部５０、シャッタ（遮断部材）５１、コイルバネ５２、底部カバー５３、連動レバー（連動部材）５４から構成される。
【００１４】
基部５０は、シャッタ５１、コイルバネ５２、底部カバー５３及び連動レバー５４が組み付けられる。基部５０の上面には、複数のリブ６０〜６４が設けられている。これらリブ６０〜６４のうち、リブ６０〜６２の間の領域が通路６５となる。同様に、リブ６２〜６４の間の領域が通路６６となる。この基部５０のリブ６０〜６４が設けられた面とは反対側の面には、コイルバネ５２を所定位置に保持するガイドピン６７が設けられる。
【００１５】
また、この基部５０の側面には、後述する連動レバー５４の開口８８，８９が挿通され、連動レバー５４の回動軸となるボス６８，６９が設けられる他に、連動レバー５４の回動を防止する回動防止片７０が設けられる。この回動防止片７０の下方には略Ｌ字状の切欠き７１が設けられている。このうち、符号７１ａで示す斜面が後述するシャッタ５１の被押圧部８０と当接し、シャッタ５１の回動を防止する第１ストッパとなる。また、符号７１ｂに示す面が、コイルバネ５２の付勢によって回動するシャッタ５１の被押圧部８０と当接し、シャッタ５１の回動を防止する第２ストッパとなる。なお、符号７３は、ピン７４が挿通される開口である。
【００１６】
シャッタ５１は、ベースとなる板７５の一端に円筒状の組付け部７６が、他端に遮断片７７が設けられた構成を有している。このシャッタ５１は、その組付け部７６に設けられた開口７８にピン７４が挿通されることで基部５０に回動自在に組み付けられる。このシャッタ５１のほぼ中央には、開口７９が設けられている。この開口７９には、基部５０に設けられたガイドピン６７が挿通される。
【００１７】
シャッタ５１に設けられる遮断片７７は、基部５０に形成された通路６５，６６の下流側の端部を遮断し、払い出される遊技球９５の転動を防止して、通路６５，６６の内部に遊技球９５を貯留する。このシャッタ５１には、被押圧部８０が設けられ、連動レバー５４の押圧片９０によって押圧される。なお、被押圧部８０が第２ストッパ７１ｂと当接したときのシャッタ５１の位置を第１位置、被押圧部８０が第１ストッパ７１ａと当接したときのシャッタ５１の位置を第２位置とする。
【００１８】
コイルバネ５２は、ガイドピン６７に挿通され、その一端をシャッタ５１の底面に、他端を底部カバー５３の上面に当接した状態で組み込まれる。このコイルバネ５２によって、シャッタ５１が第１位置に向けて付勢される。なお、底部カバー５３は、コイルバネ５２を保持するために設けられ、例えばビス８２等により基部５０に組み込まれる。
【００１９】
連動レバー５４は、２つの回動部８５，８６と、これら回動部８５，８６を連結する連結部８７とから構成される。回動部８５，８６の一端にはそれぞれ開口８８，８９が同軸となるように設けられる。なお、この開口８８，８９には、基部５０の側面に設けられたボス６８，６９が挿通される。これにより、連動レバー５４が回動自在に組み付けられる。これら回動部８５，８６のうち、回動部８６には、上述したシャッタ５１の被押圧部８０を押圧する押圧片９０が設けられる。なお、この押圧片９０とは異なる反対側の端部となる斜面は、上述した基部５０に設けられた回動防止片７０と当接し、連動レバー８７の回動を防止する回動防止面９１となる。
【００２０】
上述したように、連結部８７は、上記回動部８５，８６を連結するために設けられる。この連結部８７には、前記下部扉５の閉じ動作時に中継通路２１を形成する筒部２２の一端が当接する。この筒部２２の押圧によって、連動部８７が押圧されるとともに、前述した押圧片９０がシャッタ５１の被押圧部８０を押圧するので、シャッタ５１が第１位置から第２位置へと回動する。
【００２１】
次に、上述したシャッタ機構４５を有するパチンコ機２の作用を説明する。上記構成のシャッタ機構４５は、組み立てられた状態では、図４で示す第１状態にある。図７〜図１５は、下部扉５の筒部２０と、シャッタ機構４５の関係を示す図であり、他の構成部品等については省略して示す。また、以下では、払出し通路４１と連通する通路６５について示す。図７に示すように、シャッタ機構４５が第１状態にある場合、コイルバネ５２の付勢を受けて、シャッタ５１の被押圧部８０は第２ストッパ７１ｂに当接した状態で保持される。これによりシャッタ５１が第１位置に保持される。
【００２２】
第１状態にあるシャッタ機構４５を、他の遊技作動装置等とともに、本体基部７に組み付ける。図７〜図９に示すように、本体基部７に組み付けられた下部扉５を閉じる（図７に示すＡ方向に回動させる）と、下部扉５の後面に設けられた筒部２０の一端が第１状態にあるシャッタ機構４５の連動レバー５４を押圧する。これによって、連動レバー５４がボス６８，６９を回動軸として図８中Ｃ方向に回動する。連動レバー５４の回動によって、押圧片９０がシャッタ５１の被押圧部８０を図８中Ｃ方向に押圧する。これにより、シャッタ５１が図８中Ｅ方向に回動する。そして、シャッタ５１が図９中Ｅ方向に所定量回動すると、被押圧部８０が第１ストッパ７１ａと当接する。これにより、シャッタ５１が第２位置で停止し、シャッタ機構４５が第２状態となる。
【００２３】
図１０〜図１２に示すように、下部扉５の閉じ動作によって、筒部２０の先端が連結レバー５４を押圧し、連結レバー５４の押圧片９０がシャッタ５１の被押圧部８０を押圧することによって、シャッタ５１がピン７４を回動軸として図１１中Ｅ方向に回動する。シャッタ５１の図１１中Ｅ方向への回動によって、シャッタ５１の遮断片７７が通路６５の下流側の端部を遮断する位置から退避していく。そして、シャッタ５１が所定量回動し、被押圧部８０と第１ストッパ７１ａとが当接すると、シャッタ５１の遮断片７７が通路６５の下流側の端部から完全に退避する（図１２参照）。これにより、通路６５と中継通路２１とが連通した状態となる。
【００２４】
パチンコ機２は、シャッタ機構４５が第２状態となった状態で遊技場等に配設される。遊技を行う際に、遊技球９５を供給皿１５に供給すると、遊技球９５が発射装置１６に送られる。その後、遊技者が操作ハンドル１７を操作すると、発射装置１６が作動して遊技球９５の打ち出しが行われ、打ち出された遊技球９５は遊技領域２２の上方から流下する。そして、障害釘、風車等に弾かれた後に、始動入賞口２５、通常入賞口２６或いはアタッカ２７に入賞するか、これら入賞口には入賞せずに、アウト口３２に回収される。遊技領域２２に打ち出された遊技球９５が上記入賞口のいずれかに入賞すると、払出し装置４０が作動して、賞球となる遊技球９５を払い出す。払い出された遊技球９５は、払出し通路４１、通路６５、中継通路２１の内部を転動して払出し口１８から供給皿１５へと排出される。
【００２５】
なお、遊技者の操作ハンドル１７の操作を実行した際に、打ち出し強さが弱く、遊技領域２２まで届かずに案内通路３２の内部を逆流する、所謂ファール球が発生する場合がある。この場合、ファール球となる遊技球９５は、案内通路３２の内部を落下して、回収口３５に回収される。この回収口３５にて回収された遊技球９５は、払戻し通路４２、通路６６及び中継通路２１の内部を転動して、払出し口１８から供給皿１５へ排出される。
【００２６】
例えば、遊技を行っている際に、例えば球詰まりの発生等のメンテナンス時に下部扉５を開けることがある。この場合、図示しないロック機構を解除して上部扉４を開口する。その後、下部扉５を閉じ状態でロックするロック機構を解除し、下部扉５を開く。図１３に示すように、シャッタ機構４５は、下部扉５の筒部２０に連動レバー５４が押圧された第２状態にある。下部扉５を開ける（下部扉５を図１３中Ｂ方向に移動させる）と、筒部２０による連結レバー５４の押圧が解除される。これに合わせて、コイルバネ５２の付勢によってシャッタ５１が第２位置から第１位置へと（図１３中Ｆ方向に）回動する。また、シャッタ５１がコイルバネの付勢によって回動すると、その被押圧部８０が連動レバー５４の押圧片９０を押圧するから、連動レバー５４が図１３中Ｄ方向に回動する。
【００２７】
図１４に示すように、シャッタ５１がコイルバネの付勢によって図中Ｆ方向に回動すると、シャッタの遮断片７７が通路６５の下流側の端部を遮断し始める。同時に、連動レバー５４が図中Ｄ方向に回動するから、その連結部８７と遮断片７７との隙間が次第に狭くなる。図１５に示すように、下部扉５が開くと、シャッタの被押圧部８０と、第１ストッパ７１ｂとが当接し、シャッタ５１が第１位置に保持される（図７参照）。また、連動レバー５４の連結部８７が、通路６５の上方を遮断するように位置するから、遮断片７７の先端によって跳ね上げられた遊技球９５（図１５中二点差線）を通路６５の内部に保持することが可能となる。メンテナンスを終了した後に、下部扉５を閉じると、シャッタ機構４５が第１状態から第２状態になるので、通路６５と中継通路２１とが連通される。
【００２８】
なお、通路６５の内部に遊技球９５が残っているから、通路６５から中継通路２１へと遊技球９５が転動し、払出し口１８から供給皿１５に排出される。通路６６についても同様である。これにより、下部扉５を開けても払出し通路４１及び払戻し通路４２を転動する遊技球９５を遊技場の床等に零さずに済む。また、部品点数の少ないシャッタ機構を設けることで、容易にシャッタ機構を製造できるとともに、下部扉の開閉動作に合わせて確実にシャッタ機構を作動させることが可能となる。
【００２９】
本実施形態では、下部扉に設けられた中継通路を形成する筒部によって、シャッタ機構の連動レバーを押圧することでシャッタ機構を作動させるようにしたが、これに限定する必要はなく、中継通路を形成する筒部とは異なる突部を設けて、この突部をシャッタ機構の連動レバーに当接させるようにしてもよい。
【００３０】
【発明の効果】
以上のように、本発明の遊技機によれば、遊技に用いられる遊技媒体を受容する受け部と、遊技媒体を前記受け部に払い出す払出し口とを有する扉と、遊技媒体を前記受け部へと払い出す払出し装置と、前記払出し装置からの遊技媒体を前記払出し口へ誘導する第１経路とを有する本体基部と、を備え、前記本体基部に、前記第１経路を遮断するシャッタ機構を設け、前記扉に、前記シャッタ機構を作動させる突部とを設け、前記シャッタ機構は、前記第１経路内に突出し、前記第１経路内を移動する遊技媒体を貯留する第１位置と、前記第１経路内から退避し、前記第１経路内を移動する遊技媒体を前記払出し口に導く第２位置と、の間で移動可能な遮断部材と、前記扉の閉じ動作時に前記突部によって押圧され、前記第１位置にある遮断部材を前記第２位置へと移動させる連動部材とを備えているので、簡単な構成でシャッタ機構を製造することができるとともに、扉の開閉動作によって、確実に可動させることができる。
【００３１】
また、前記本体基部は、遊技領域に到達しない遊技媒体を前記払い出し口を介して前記受け部に払い出す第２経路を備えており、前記第１位置にある遮断部材は、前記第１経路と第２経路とを同時に遮断するので、部品点数を増やさずに済む。
【００３２】
また、前記突部は、前記払出し口に連なって設けられ、前記払出し口と、少なくとも前記第１経路とを連通させる中継通路を備えているので、扉の形状を変えずに済む。
【図面の簡単な説明】
【図１】本発明を実施したパチンコ機の外観を示す斜視図である。
【図２】前面扉を開けたときの状態を示す斜視図である。
【図３】図２に示す領域Ｚを拡大して示す斜視図である。
【図４】シャッタ機構の第１状態を示す斜視図である。
【図５】シャッタ機構の第２状態を示す斜視図である。
【図６】シャッタ機構の構成を分解して示す斜視図である。
【図７】下部扉が開いている状態の扉及びシャッタ機構を示す正面図である。
【図８】下部扉を閉じる際に、筒部によって連動レバーが押圧される状態の扉及びシャッタ機構を示す正面図である。
【図９】下部扉を閉じた状態の扉及びシャッタ機構を示す正面図である。
【図１０】下部扉が開いている状態の扉及びシャッタ機構を示す断面図である。
【図１１】下部扉を閉じる際に、筒部によって連動レバーが押圧される状態の扉及びシャッタ機構を示す断面図である。
【図１２】下部扉を閉じた状態の扉及びシャッタ機構を示す断面図である。
【図１３】下部扉を閉じた時に、払い出される遊技球の状態を示す下部扉及びシャッタ機構の断面図である。
【図１４】下部扉を開ける際に、筒部による連動レバーの押圧が解除された状態を示す下部扉及びシャッタ機構の断面図である。
【図１５】下部扉を開けた時に、シャッタ機構によって払い出される遊技球が貯留された状態を示す下部扉及びシャッタ機構の断面図である。
【符号の説明】
２  パチンコ機
５  下部扉
９  発射装置
１５  供給皿
１６  発射装置
１８  払出し口
２０  筒部
２１  中継通路
３２  案内通路
３５  回収口
４０  払出し装置
４１  払出し通路
４２  払戻し通路
４５  シャッタ機構
５０  基部
５１  シャッタ
５２  コイルバネ
５４  連動レバー
【図１】
2005040305.tif 000003
【図２】
2005040305.tif 000004
【図３】
2005040305.tif 000005
【図４】
2005040305.tif 000006
【図５】
2005040305.tif 000007
【図６】
2005040305.tif 000008
【図７】
2005040305.tif 000009
【図８】
2005040305.tif 000010
【図９】
2005040305.tif 000011
【図１０】
2005040305.tif 000012
【図１１】
2005040305.tif 000013
【図１２】
2005040305.tif 000014
【図１３】
2005040305.tif 000015
【図１４】
2005040305.tif 000016
【図１５】
2005040305.tif 000017